(57)【要約】  本願の実施例は、端末デバイスのサービスの送信に使用される電力をネットワークデバイスがリアルタイムに知ることができ、サービスを正しく復調することができる無線通信方法及びデバイスを提供する。当該方法は、端末デバイスが第１の時間帯に行う第１のサービスの上り伝送の電力情報を確定することと、前記端末デバイスが前記第１の時間帯に第２のサービスの上り伝送を行う時に、前記ネットワークデバイスに前記電力情報を送信することとを含み、ここで、前記端末デバイスが前記第１の時間帯に同時に前記第１のサービスと少なくとも１つの第２のサービスの上り伝送を行う。
2020533817.tif 000002
【特許請求の範囲】
【請求項１】
端末デバイスが第１の時間帯に行う第１のサービスの上り伝送の電力情報を確定することと、
前記端末デバイスが前記第１の時間帯に第２のサービスの上り伝送を行う時に、前記ネットワークデバイスに前記電力情報を送信することとを含み、
前記端末デバイスが前記第１の時間帯に同時に前記第１のサービスと少なくとも１つの第２のサービスの上り伝送を行う
ことを特徴とする無線通信方法。
【請求項２】
前記第２のサービスの優先度が前記第１のサービスよりも高い
ことを特徴とする請求項１に記載の無線通信方法。
【請求項３】
前記第１のサービスが増強型モバイルブロードバンドｅＭＢＢサービスであり、前記第２のサービスが低遅延高信頼シーンＵＲＬＬＣサービスである
ことを特徴とする請求項１又は２に記載の無線通信方法。
【請求項４】
前記端末デバイスが前記第１の時間帯に第２のサービスの上り伝送を行う時に、前記ネットワークデバイスに前記電力情報を送信することは、
前記ネットワークデバイスに送信する第１のメッセージには前記電力情報が含まれ、前記第１のメッセージには、さらに、前記第２のサービスのデータ又は他の情報が含まれることを含む
ことを特徴とする請求項１〜３のいずれか１項に記載の無線通信方法。
【請求項５】
前記端末デバイスが第１の時間帯に行う第１のサービスの上り伝送の電力情報を確定することは、
前記端末デバイスが前記第１の時間帯に前記ネットワークデバイスに第２のサービスを伝送する電力、及び／又は前記第１のサービスに対応する電力差分値集合に基づいて、第１の時間帯に行う第１のサービスの上り伝送の電力情報を確定することを含み、
前記電力差分値集合は、前記端末デバイスが第１のサービスの上り伝送を行う時に使用する実際電力と特定電力との選択可能な差分値を含む
ことを特徴とする請求項１〜４のいずれか１項に記載の無線通信方法。
【請求項６】
前記差分値集合は、前記端末デバイスに予め設定され、又は前記ネットワークデバイスにより端末デバイスに構成される
ことを特徴とする請求項５に記載の無線通信方法。
【請求項７】
前記電力情報は、
前記端末デバイスが前記第１の時間帯に第１のサービスの上り伝送を行う時に使用する実際電力と特定電力とが同じであるかどうかを示し、及び／又は、
前記端末デバイスが前記第１の時間帯に第１のサービスの上り伝送を行う時に使用する実際電力と特定電力との差分値情報を示す
ことを特徴とする請求項１〜６のいずれか１項に記載の無線通信方法。
【請求項８】
前記差分値情報は、量子化値又は差分値が属する範囲の識別子を含む
ことを特徴とする請求項７に記載の無線通信方法。
【請求項９】
前記特定電力は、前記第１の時間帯の前で、且つ前記第１の時間帯に隣接する時間で前記第１のサービスの伝送を個別に行う時に使用される電力である
ことを特徴とする請求項５、７又は８に記載の無線通信方法。
【請求項１０】
端末デバイスが、第１のサービスに対応する電力差分値集合及び第１の時間帯に行う第２のサービスの伝送に使用する電力に基づいて、第１のサービスの伝送を行う時に使用する電力を確定することと、
確定された前記電力に基づいて、前記端末デバイスが前記第１の時間帯に第２のサービスの伝送を行うこととを含み、
前記電力差分値集合は、前記端末デバイスが第１のサービスの上り伝送を行う時に使用する実際電力と特定電力との選択可能な差分値を含む
ことを特徴とする無線通信方法。
【請求項１１】
前記特定電力は、前記第１の時間帯の前で、且つ前記第１の時間帯に隣接する時間で前記第１のサービスの伝送を個別に行う時に使用される電力である
ことを特徴とする請求項１０に記載の無線通信方法。
【請求項１２】
前記第２のサービスの優先度が前記第１のサービスよりも高い
ことを特徴とする請求項１０又は１１に記載の無線通信方法。
【請求項１３】
前記第１のサービスが増強型モバイルブロードバンドｅＭＢＢサービスであり、前記第２のサービスが低遅延高信頼シーンＵＲＬＬＣサービスである
ことを特徴とする請求項１０〜１２のいずれか１項に記載の無線通信方法。
【請求項１４】
前記差分値集合は、前記端末デバイスに予め設定され、又は前記ネットワークデバイスにより端末デバイスに構成される
ことを特徴とする請求項１０〜１３のいずれか１項に記載の無線通信方法。
【請求項１５】
ネットワークデバイスが第１の時間帯に端末デバイスが行う第２のサービスの上り伝送において、前記端末デバイスにより送信された電力情報を受信することと、
前記電力情報に基づいて、前記ネットワークデバイスが前記第１のサービスを復調することとを含み、
前記電力情報は、前記端末デバイスが前記第１の時間帯に行う第１のサービスの上り伝送の電力情報である
ことを特徴とする無線通信方法。
【請求項１６】
前記第２のサービスの優先度が前記第１のサービスよりも高い
ことを特徴とする請求項１５に記載の無線通信方法。
【請求項１７】
前記第１のサービスが増強型モバイルブロードバンドｅＭＢＢサービスであり、前記第２のサービスが低遅延高信頼シーンＵＲＬＬＣサービスである
ことを特徴とする請求項１５又は１６に記載の無線通信方法。
【請求項１８】
前記電力情報が第１の時間帯に受信された第１のメッセージに含まれ、前記第１のメッセージには、さらに前記第２のサービスのデータ又は他の情報が含まれる
ことを特徴とする請求項１５〜１７のいずれか１項に記載の無線通信方法。
【請求項１９】
前記電力情報は、
前記端末デバイスが前記第１の時間帯に前記第１のサービスの上り伝送を行う時に使用する実際電力と特定電力とが同じであるかどうかを示し、及び／又は、
前記端末デバイスが前記第１の時間帯に前記第１のサービスの上り伝送を行う時に使用する実際電力と特定電力との差分値情報を示す
ことを特徴とする請求項１５〜１８のいずれか１項に記載の無線通信方法。
【請求項２０】
前記差分値情報が量子化値を含み、
前記電力情報に基づいて、前記ネットワークデバイスが前記第１のサービスを復調することは、
前記量子化値を利用して、前記第１のサービスを復調することを含む
ことを特徴とする請求項１９に記載の無線通信方法。
【請求項２１】
前記差分値情報は、差分値が属する範囲の識別子を含み、
前記電力情報に基づいて、前記ネットワークデバイスが前記第１のサービスを復調することは、
前記範囲に含まれる差分値を利用して、前記第１のサービスを復調することを含む
ことを特徴とする請求項１９に記載の無線通信方法。
【請求項２２】
前記特定電力は、前記第１の時間帯の前で、且つ前記第１の時間帯に隣接する時間で前記第１のサービスの伝送を個別に行う時に使用される電力である
ことを特徴とする請求項１９〜２１のいずれか１項に記載の無線通信方法。
【請求項２３】
端末デバイスが第１の時間帯に同時にネットワークデバイスに第１のサービスと第２のサービスを伝送する場合、ネットワークデバイスが第１のサービスに対応する電力差分値集合を取得することと、
ネットワークデバイスが前記電力差分値集合に基づいて、前記第１の時間帯の第１のサービスを復調することとを含み、
前記電力差分値集合は、前記端末デバイスが前記第１のサービスの上り伝送を行う時に使用する実際電力と前記特定電力との選択可能な差分値を含む
ことを特徴とする無線通信方法。
【請求項２４】
前記特定電力は、前記第１の時間帯の前で、且つ前記第１の時間帯に隣接する時間で前記第１のサービスの伝送を個別に行う時に使用される電力である
ことを特徴とする請求項２３に記載の無線通信方法。
【請求項２５】
前記第２のサービスの優先度が前記第１のサービスよりも高い
ことを特徴とする請求項２３又は２４に記載の無線通信方法。
【請求項２６】
前記第１のサービスが増強型モバイルブロードバンドｅＭＢＢサービスであり、前記第２のサービスが低遅延高信頼シーンＵＲＬＬＣサービスである
ことを特徴とする請求項２３〜２５のいずれか１項に記載の無線通信方法。
【請求項２７】
前記方法は、さらに、
前記ネットワークデバイスが前記端末デバイスに前記電力差分値集合を構成することを含む
ことを特徴とする請求項２３〜２６のいずれか１項に記載の無線通信方法。
【請求項２８】
処理ユニットと通信ユニットを含む端末デバイスであって、
前記処理ユニットは、第１の時間帯に行う第１のサービスの上り伝送の電力情報を確定するように構成され、
前記端末デバイスが前記第１の時間帯に同時に前記第１のサービスと少なくとも１つの第２のサービスの上り伝送を行い、
前記通信ユニットは、前記第１の時間帯に前記第２のサービスの上り伝送を行う時に、前記ネットワークデバイスに前記電力情報を送信するように構成される
ことを特徴とする端末デバイス。
【請求項２９】
前記第２のサービスの優先度が前記第１のサービスよりも高い
ことを特徴とする請求項２８に記載の端末デバイス。
【請求項３０】
前記第１のサービスが増強型モバイルブロードバンドｅＭＢＢサービスであり、前記第２のサービスが低遅延高信頼シーンＵＲＬＬＣサービスである
ことを特徴とする請求項２８又は２９に記載の端末デバイス。
【請求項３１】
前記通信ユニットは、さらに、
前記ネットワークデバイスに送信する第１のメッセージには前記電力情報が含まれ、前記第１のメッセージには、さらに、前記第２のサービスのデータ又は他の情報が含まれるように構成される
ことを特徴とする請求項２８〜３０のいずれか１項に記載の端末デバイス。
【請求項３２】
前記処理ユニットは、さらに、
前記端末デバイスが前記第１の時間帯に前記ネットワークデバイスに第２のサービスを伝送する電力、及び／又は前記第１のサービスに対応する電力差分値集合に基づいて、第１の時間帯に行う第１のサービスの上り伝送の電力情報を確定するように構成され、
前記電力差分値集合は、前記端末デバイスが第１のサービスの上り伝送を行う時に使用する実際電力と特定電力との選択可能な差分値を含む
ことを特徴とする請求項２８〜３１のいずれか１項に記載の端末デバイス。
【請求項３３】
前記差分値集合は、前記端末デバイスに予め設定され、又は前記ネットワークデバイスにより端末デバイスに構成される
ことを特徴とする請求項３２に記載の端末デバイス。
【請求項３４】
前記電力情報は、
前記端末デバイスが前記第１の時間帯に第１のサービスの上り伝送を行う時に使用する実際電力と特定電力とが同じであるかどうかを示し、及び／又は、
前記端末デバイスが前記第１の時間帯に第１のサービスの上り伝送を行う時に使用する実際電力と特定電力との差分値情報を示す
ことを特徴とする請求項２８〜３３のいずれか１項に記載の端末デバイス。
【請求項３５】
前記差分値情報は、量子化値又は差分値が属する範囲の識別子を含む
ことを特徴とする請求項３４に記載の端末デバイス。
【請求項３６】
前記特定電力は、前記第１の時間帯の前で、且つ前記第１の時間帯に隣接する時間で前記第１のサービスの伝送を個別に行う時に使用される電力である
ことを特徴とする請求項３２、３４又は３５に記載の端末デバイス。
【請求項３７】
処理ユニットと通信ユニットを含む端末デバイスであって、
前記処理ユニットは、第１のサービスに対応する電力差分値集合、及び前記端末デバイスが第１の時間帯に行う第２のサービスの伝送に使用する電力に基づいて、第１のサービスの伝送を行う時に使用する電力を確定するように構成され、
前記電力差分値集合は、前記端末デバイスが第１のサービスの上り伝送を行う時に使用する実際電力と特定電力との選択可能な差分値を含み、
前記通信ユニットは、前記処理ユニットにより確定された前記電力に基づいて、前記第１の時間帯に第２のサービスの伝送を行うように構成される
ことを特徴とする端末デバイス。
【請求項３８】
前記特定電力は、前記第１の時間帯の前で、且つ前記第１の時間帯に隣接する時間で前記第１のサービスの伝送を個別に行う時に使用される電力である
ことを特徴とする請求項３７に記載の端末デバイス。
【請求項３９】
前記第２のサービスの優先度が前記第１のサービスよりも高い
ことを特徴とする請求項３７又は３８に記載の端末デバイス。
【請求項４０】
前記第１のサービスが増強型モバイルブロードバンドｅＭＢＢサービスであり、前記第２のサービスが低遅延高信頼シーンＵＲＬＬＣサービスである
ことを特徴とする請求項３７〜３９のいずれか１項に記載の端末デバイス。
【請求項４１】
前記差分値集合は、前記端末デバイスに予め設定され、又は前記ネットワークデバイスにより端末デバイスに構成される
ことを特徴とする請求項３７〜４０のいずれか１項に記載の端末デバイス。
【請求項４２】
取得ユニットと復調ユニットを含むネットワークデバイスであって、
前記取得ユニットは、第１の時間帯に端末デバイスが行う第２のサービスの上り伝送において、前記端末デバイスにより送信された電力情報を受信するように構成され、
前記電力情報は、前記端末デバイスが前記第１の時間帯に行う第１のサービスの上り伝送の電力情報であり、
前記復調ユニットは、前記電力情報に基づいて前記第１のサービスを復調するように構成される
ことを特徴とするネットワークデバイス。
【請求項４３】
前記第２のサービスの優先度が前記第１のサービスよりも高い
ことを特徴とする請求項４２に記載のネットワークデバイス。
【請求項４４】
前記第１のサービスが増強型モバイルブロードバンドｅＭＢＢサービスであり、前記第２のサービスが低遅延高信頼シーンＵＲＬＬＣサービスである
ことを特徴とする請求項４２又は４３に記載のネットワークデバイス。
【請求項４５】
前記電力情報が第１の時間帯に受信された第１のメッセージに含まれ、前記第１のメッセージには、さらに前記第２のサービスのデータ又は他の情報が含まれる
ことを特徴とする請求項４２〜４４のいずれか１項に記載のネットワークデバイス。
【請求項４６】
前記電力情報は、
前記端末デバイスが前記第１の時間帯に前記第１のサービスの上り伝送を行う時に使用する実際電力と特定電力とが同じであるかどうかを示し、及び／又は、
前記端末デバイスが前記第１の時間帯に前記第１のサービスの上り伝送を行う時に使用する実際電力と特定電力との差分値情報を示す
ことを特徴とする請求項４２〜４５のいずれか１項に記載のネットワークデバイス。
【請求項４７】
前記差分値情報が量子化値を含み、
前記復調ユニットは、さらに、
前記量子化値を利用して、前記第１のサービスを復調するように構成される
ことを特徴とする請求項４６に記載のネットワークデバイス。
【請求項４８】
前記差分値情報は、差分値が属する範囲の識別子を含み、
前記電力情報に基づいて、前記ネットワークデバイスが前記第１のサービスを復調することは、
前記範囲に含まれる差分値を利用して、前記第１のサービスを復調することを含む
ことを特徴とする請求項４６に記載のネットワークデバイス。
【請求項４９】
前記特定電力は、前記第１の時間帯の前で、且つ前記第１の時間帯に隣接する時間で前記第１のサービスの伝送を個別に行う時に使用される電力である
ことを特徴とする請求項４６〜４８のいずれか１項に記載のネットワークデバイス。
【請求項５０】
取得ユニットと復調ユニットを含む無線通信ネットワークデバイスであって、
前記取得ユニットは、端末デバイスが第１の時間帯に同時にネットワークデバイスに第１のサービスと第２のサービスを伝送する場合、第１のサービスに対応する電力差分値集合を取得するように構成され、
前記復調ユニットは、前記電力差分値集合に基づいて、前記第１の時間帯の第１のサービスを復調するように構成され、
前記電力差分値集合は、前記端末デバイスが前記第１のサービスの上り伝送を行う時に使用する実際電力と前記特定電力との選択可能な差分値を含む
ことを特徴とする無線通信ネットワークデバイス。
【請求項５１】
前記特定電力は、前記第１の時間帯の前で、且つ前記第１の時間帯に隣接する時間で前記第１のサービスの伝送を個別に行う時に使用される電力である
ことを特徴とする請求項５０に記載の無線通信ネットワークデバイス。
【請求項５２】
前記第２のサービスの優先度が前記第１のサービスよりも高い
ことを特徴とする請求項５０又は５１に記載の無線通信ネットワークデバイス。
【請求項５３】
前記第１のサービスが増強型モバイルブロードバンドｅＭＢＢサービスであり、前記第２のサービスが低遅延高信頼シーンＵＲＬＬＣサービスである
ことを特徴とする請求項５０〜５２のいずれか１項に記載の無線通信ネットワークデバイス。
【請求項５４】
ネットワークデバイスは、さらに、
前記端末デバイスに前記電力差分値集合を構成するように構成される送信ユニットを含む
ことを特徴とする請求項５２〜５３のいずれか１項に記載の無線通信ネットワークデバイス。
【発明の詳細な説明】
【技術分野】
【０００１】
本願の実施例は、通信分野に関し、具体的に、無線通信方法、端末デバイス及びネットワークデバイスに関する。
【背景技術】
【０００２】
無線通信では、ネットワークデバイスは、端末デバイスがサービスを送信する電力と合わせて、サービスを復調することができる。
【０００３】
また、未来の無線通信では、無線伝送の過程が複雑になり、ネットワークデバイスが端末デバイスの送信電力の変化を把握しないこともある。
【０００４】
従って、ネットワークデバイスが端末デバイスがサービスを伝送するために使用する電力をどのようにタイムリーに知るかは、解決すべき課題である。
【発明の概要】
【０００５】
本発明は、上記の問題点に鑑みてなされたものであり、端末デバイスのサービス伝送に使用される電力をネットワークデバイスがリアルタイムに把握し、サービスを正しく復調することができる無線通信方法及びデバイスを提供することを目的とする。
【０００６】
第１の形態は、無線通信方法を提供し、
端末デバイスが第１の時間帯に行う第１のサービスの上り伝送の電力情報を確定することと、
前記端末デバイスが前記第１の時間帯に第２のサービスの上り伝送を行う時に、前記ネットワークデバイスに前記電力情報を送信することとを含み、
前記端末デバイスが前記第１の時間帯に同時に前記第１のサービスと少なくとも１つの第２のサービスの上り伝送を行う。
【０００７】
そして、本願の実施例では、端末デバイスが第１の時間帯に第１のサービスと少なくとも１つの第２のサービスの上り伝送を同時に行う場合に、第１の時間帯に行われる第１のサービスの伝送において、第１の時間帯に行われる第１のサービスの上り伝送の電力情報をネットワークデバイスに送信することにより、ネットワークデバイスは、第１のサービスと第２のサービスが同時に行われる場合に、第１のサービスの電力情報を正確に取得することができ、第１のサービスを正しく復調することができ、通信性能を向上させることができる。
【０００８】
第１の形態と結合し、第１の形態の実現可能な方式において、前記第２のサービスの優先度が前記第１のサービスよりも高い。
【０００９】
第１の形態又は上記のいずれか実現可能な方式と結合し、第１の形態の他の実現可能な方式において、前記第１のサービスが増強型モバイルブロードバンドｅＭＢＢサービスであり、前記第２のサービスが低遅延高信頼シーンＵＲＬＬＣサービスである。
【００１０】
第１の形態又は上記のいずれか実現可能な方式と結合し、第１の形態の他の実現可能な方式において、前記端末デバイスが前記第１の時間帯に第２のサービスの上り伝送を行う時に、前記ネットワークデバイスに前記電力情報を送信することは、
前記ネットワークデバイスに送信する第１のメッセージには前記電力情報が含まれ、前記第１のメッセージには、さらに、前記第２のサービスのデータ又は他の情報が含まれることを含む。
【００１１】
第１の形態又は上記のいずれか実現可能な方式と結合し、第１の形態の他の実現可能な方式において、前記端末デバイスが第１の時間帯に行う第１のサービスの上り伝送の電力情報を確定することは、
前記端末デバイスが前記第１の時間帯に前記ネットワークデバイスに第２のサービスを伝送する電力、及び／又は前記第１のサービスに対応する電力差分値集合に基づいて、第１の時間帯に行う第１のサービスの上り伝送の電力情報を確定することを含み、ここで、
前記電力差分値集合は、前記端末デバイスが第１のサービスの上り伝送を行う時に使用する実際電力と特定電力との選択可能な差分値を含む。
【００１２】
第１の形態又は上記のいずれか実現可能な方式と結合し、第１の形態の他の実現可能な方式において、前記差分値集合は、前記端末デバイスに予め設定され、又は前記ネットワークデバイスにより端末デバイスに構成される。
【００１３】
第１の形態又は上記のいずれか実現可能な方式と結合し、第１の形態の他の実現可能な方式において、前記電力情報は、
前記端末デバイスが前記第１の時間帯に第１のサービスの上り伝送を行う時に使用する実際電力と特定電力とが同じであるかどうかを示し、及び／又は、
前記端末デバイスが前記第１の時間帯に第１のサービスの上り伝送を行う時に使用する実際電力と特定電力との差分値情報を示す。
【００１４】
第１の形態又は上記のいずれか実現可能な方式と結合し、第１の形態の他の実現可能な方式において、前記差分値情報は、量子化値又は差分値が属する範囲の識別子を含む。
【００１５】
第１の形態又は上記のいずれか実現可能な方式と結合し、第１の形態の他の実現可能な方式において、前記特定電力は、前記第１の時間帯の前で、且つ前記第１の時間帯に隣接する時間で前記第１のサービスの伝送を個別に行う時に使用される電力である。
【００１６】
第２の形態は、無線通信方法を提供し、前記方法は、
端末デバイスが、第１のサービスに対応する電力差分値集合及び第１の時間帯に行う第２のサービスの伝送に使用する電力に基づいて、第１のサービスの伝送を行う時に使用する電力を確定することと、
確定された前記電力に基づいて、前記端末デバイスが前記第１の時間帯に第２のサービスの伝送を行うこととを含み、前記電力差分値集合は、前記端末デバイスが第１のサービスの上り伝送を行う時に使用する実際電力と特定電力との選択可能な差分値を含む。
【００１７】
第２の形態と結合し、第２の形態の実現可能な方式において、前記特定電力は、前記第１の時間帯の前で、且つ前記第１の時間帯に隣接する時間で前記第１のサービスの伝送を個別に行う時に使用される電力である。
【００１８】
第２の形態又は上記のいずれか実現可能な方式と結合し、第２の形態の他の実現可能な方式において、前記第２のサービスの優先度が前記第１のサービスよりも高い。
【００１９】
第２の形態又は上記のいずれか実現可能な方式と結合し、第２の形態の他の実現可能な方式において、前記第１のサービスが増強型モバイルブロードバンドｅＭＢＢサービスであり、前記第２のサービスが低遅延高信頼シーンＵＲＬＬＣサービスである。
【００２０】
第２の形態又は上記のいずれか実現可能な方式と結合し、第２の形態の他の実現可能な方式において、前記差分値集合は、前記端末デバイスに予め設定され、又は前記ネットワークデバイスにより端末デバイスに構成される。
【００２１】
第３の形態は、無線通信方法を提供し、
ネットワークデバイスが第１の時間帯に端末デバイスが行う第２のサービスの上り伝送において、前記端末デバイスにより送信された電力情報を受信することと、
前記電力情報に基づいて、前記ネットワークデバイスが前記第１のサービスを復調することとを含み、前記電力情報は、前記端末デバイスが前記第１の時間帯に行う第１のサービスの上り伝送の電力情報である。
【００２２】
そして、本願の実施例では、端末デバイスが第１のサービスの上り伝送に使用する実際電力と特定電力との選択可能な差分値を含む、第１のサービスに対応する力差分値集合に基づいて、端末デバイスが第１のサービスの伝送に使用する電力を確定し、ネットワークデバイスが、電力差分値集合に基づいて、当該第１の時間帯内の第１のサービスを復調することによって、ネットワークデバイスが第１のサービスを正しく復調し、通信性能を向上させることができる。
【００２３】
第３の形態と結合し、第３の形態の実現可能な方式において、前記第２のサービスの優先度が前記第１のサービスよりも高い。
【００２４】
第３の形態又は上記のいずれか実現可能な方式と結合し、第３の形態の他の実現可能な方式において、前記第１のサービスが増強型モバイルブロードバンドｅＭＢＢサービスであり、前記第２のサービスが低遅延高信頼シーンＵＲＬＬＣサービスである。
【００２５】
第３の形態又は上記のいずれか実現可能な方式と結合し、第３の形態の他の実現可能な方式において、前記電力情報が第１の時間帯に受信された第１のメッセージに含まれ、前記第１のメッセージには、さらに前記第２のサービスのデータ又は他の情報が含まれる。
【００２６】
第３の形態又は上記のいずれか実現可能な方式と結合し、第３の形態の他の実現可能な方式において、前記電力情報は、
前記端末デバイスが前記第１の時間帯に前記第１のサービスの上り伝送を行う時に使用する実際電力と特定電力とが同じであるかどうかを示し、及び／又は、
前記端末デバイスが前記第１の時間帯に前記第１のサービスの上り伝送を行う時に使用する実際電力と特定電力との差分値情報を示す。
【００２７】
第３の形態又は上記のいずれか実現可能な方式と結合し、第３の形態の他の実現可能な方式において、前記差分値情報が量子化値を含み、
前記電力情報に基づいて、前記ネットワークデバイスが前記第１のサービスを復調することは、
前記量子化値を利用して、前記第１のサービスを復調することを含む。
【００２８】
第３の形態又は上記のいずれか実現可能な方式と結合し、第３の形態の他の実現可能な方式において、前記差分値情報は、差分値が属する範囲の識別子を含み、
前記電力情報に基づいて、前記ネットワークデバイスが前記第１のサービスを復調することは、
前記範囲に含まれる差分値を利用して、前記第１のサービスを復調することを含む。
【００２９】
第３の形態又は上記のいずれか実現可能な方式と結合し、第３の形態の他の実現可能な方式において、前記特定電力は、前記第１の時間帯の前で、且つ前記第１の時間帯に隣接する時間で前記第１のサービスの伝送を個別に行う時に使用される電力である。
【００３０】
第４の形態は、無線通信方法を提供し、前記方法は、
端末デバイスが第１の時間帯に同時にネットワークデバイスに第１のサービスと第２のサービスを伝送する場合、ネットワークデバイスが第１のサービスに対応する電力差分値集合を取得することと、
ネットワークデバイスが前記電力差分値集合に基づいて、前記第１の時間帯の第１のサービスを復調することとを含み、ここで、
前記電力差分値集合は、前記端末デバイスが前記第１のサービスの上り伝送を行う時に使用する実際電力と前記特定電力との選択可能な差分値を含む。
【００３１】
第４の形態と結合し、第４の形態の実現可能な方式において、前記特定電力は、前記第１の時間帯の前で、且つ前記第１の時間帯に隣接する時間で前記第１のサービスの伝送を個別に行う時に使用される電力である。
【００３２】
第４の形態又は上記のいずれか実現可能な方式と結合し、第４の形態の他の実現可能な方式において、前記第２のサービスの優先度が前記第１のサービスよりも高い。
【００３３】
第４の形態又は上記のいずれか実現可能な方式と結合し、第４の形態の他の実現可能な方式において、前記第１のサービスが増強型モバイルブロードバンドｅＭＢＢサービスであり、前記第２のサービスが低遅延高信頼シーンＵＲＬＬＣサービスである。
【００３４】
第４の形態又は上記のいずれか実現可能な方式と結合し、第４の形態の他の実現可能な方式において、前記方法は、さらに、
前記ネットワークデバイスが前記端末デバイスに前記電力差分値集合を構成することを含む。
【００３５】
第５の態様は、上記の第１の態様もしくは第１の態様の任意の可能な実装、または第２の態様もしくは第２の態様の任意の可能な実装における方法を実行するための端末デバイスを提供する。具体的には、端末デバイスは、上記の第１の態様もしくは第１の態様の任意の可能な実装、または第２の態様もしくは第２の態様の任意の可能な実装における方法を実行するための機能モジュールを含む。
【００３６】
第６の態様は、第３の態様もしくは第３の態様の任意の可能な実装、または第４の態様もしくは第４の態様の任意の可能な実装における上記方法を実行するためのネットワークデバイスを提供する。具体的には、ネットワークデバイスは、上記の第３の態様または第３の態様の任意の可能な実装、または第４の態様の任意の可能な実装における方法を実行するための機能モジュールを含む。
【００３７】
第７の態様は、プロセッサと、メモリと、送受信機とを含む端末デバイスを提供する。プロセッサ、メモリ、および送受信機は、内部接続経路を介して互いに通信し、制御信号および/またはデータ信号を通信し、それにより、端末デバイスは、第１の態様または第１の態様の任意の可能な実装、あるいは第２の態様または第２の態様の任意の可能な実装における方法を実行する。
【００３８】
第８の態様は、プロセッサと、メモリと、送受信機とを含むネットワークデバイスを提供する。プロセッサ、メモリ、および送受信機は、内部接続経路を介して互いに通信し、制御信号および/またはデータ信号を通信し、それによって、ネットワークデバイスが、第３の態様もしくは第３の態様の任意の可能な実装、または第４の態様もしくは第４の態様の任意の可能な実装における方法を実行する。
【００３９】
第９の態様は、上述の態様のいずれかの方法またはその可能な実施における方法を実行するための命令を含むコンピュータプログラムを記憶するためのコンピュータ可読媒体を提供する。
【００４０】
第１０の態様では、命令を含むコンピュータプログラム製品を提供し、コンピュータプログラム製品は、コンピュータ上で実行されると、コンピュータに、上述の態様のいずれかの方法、またはその可能な実施のいずれかの方法を実行させる。
【図面の簡単な説明】
【００４１】
【図１】本願の実施例におけるｅＭＭＢサービスとＵＲＬＬＣサービス伝送の模式図である。
【図２】本願の実施例におけるｅＭＭＢサービスとＵＲＬＬＣサービス伝送の模式図である。
【図３】本願の実施例における無線通信方法のフローチャートである。
【図４】本願の実施例における無線通信方法のフローチャートである。
【図５】本願の実施例における端末デバイスのブロック図である。
【図６】本願の実施例におけるネットワークデバイスのブロック図である。
【図７】本願の実施例におけるシステムチップのブロック図である。
【図８】本願の実施例における通信デバイスのブロック図である。
【発明を実施するための形態】
【００４２】
以下、本発明の実施例について図面を参照して説明する。
【００４３】
本願の実施例の技術的解決策は、例えば、グローバル移動通信( Ｇｌｏｂａｌ Ｓｙｓｔｅｍ ｏｆ Ｍｏｂｉｌｅ Ｃｏｍｍｕｎｉｃａｔｉｏｎ：ＧＳＭ )システム、符号分割多元接続( Ｃｏｄｅ Ｄｉｖｉｓｉｏｎ Ｍｕｌｔｉｐｌｅ Ａｃｃｅｓｓ：ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )システム、汎用パケット無線サービス( Ｇｅｎｅｒａｌ Ｐａｃｋｅｔ Ｒａｄｉｏ Ｓｅｒｖｉｃｅ：ＧＰＲＳ )、ロングタームエボリューション( Ｌｏｎｇ Ｔｅｒｍ Ｅｖｏｌｕｔｉｏｎ：ＬＴＥ )システム、ＬＴＥ周波数分割複信( Ｆｒｅｑｕｅｎｃｙ Ｄｉｖｉｓｉｏｎ Ｄｕｐｌｅｘ：ＦＤＤ )システム、ＬＴＥ時分割複信( Ｔｉｍｅ Ｄｉｖｉｓｉｏｎ Ｄｕｐｌｅｘ：ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ：ＵＭＴＳ )、又はグローバル相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ：ＷｉＭＡＸ )通信システム、及び将来生じ得る５Ｇ（Ｎｅｗ Ｒａｄｉｏ：ＮＲ）システムに適用され得ることが理解されるべきである。
【００４４】
本願の実施例に記載されたネットワークデバイスは、端末デバイスと通信するデバイスであってもよい。ネットワークデバイスは、特定の地理的エリアに通信カバレッジを提供し得、カバレッジエリア内に配置されたＵＥなどの端末デバイスと通信し得る。任意選択で、ネットワークデバイスは、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、同じ基地局の異なるアンテナパネル( Ａｎｔｅｎｎａ ｐａｎｅｌ )、受信送信ノード( Ｔｒａｎｓｍｉｔｔｉｎｇ−Ｒｅｃｅｉｖｉｎｇ ｐｏｉｎｔ、ＴＲＰ )、車載デバイス、ウェアラブルデバイス、将来の５Ｇネットワークにおけるネットワーク側デバイス、または将来の進化したパブリック陸上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００４５】
本願の実施例に係る端末デバイスは、移動型であってもよいし、固定型であってもよい。任意選択で、端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００４６】
ＮＲシステムにおいて、ウルトラトレパビリティ低遅延通信( ｕｌｔｒａ−ｒｅｌｉａｂｌｅ ｌｏｗ−ｌａｔｅｎｃｙ ｃｏｍｍｕｎｉｃａｔｉｏｎ、ＵＲＬＬＣ )サービスは、より良好な信頼性とより低い遅延とを有する。
【００４７】
ＵＲＬＬＣサービスは、工業インターネット、自動運転などの厳しい要求の分野に利用できる。
【００４８】
低遅延を満たすために、ＵＲＬＬＣサービスの送信時間は、低減されてもよく(例えば、ミニスロットの導入)、および再送信は低減されてもよい。
【００４９】
ＮＲシステムでは、１スロット（ｓｌｏｔ）の定義は７シンボルまたは１４シンボルであり、サブキャリア間隔によってシンボル数に差が生じる場合がある。
【００５０】
同時に、ＮＲシステムにおいて、同時に、増強型移動広帯域( Ｅｎｈａｎｃｅ Ｍｏｂｉｌｅ Ｂｒｏａｄｂａｎｄ、ｅＭＢＢ )を行ってもよい。ｅＭＢＢサービスは、ブロードバンドサービスの一種であり、ブラウジング、ビデオなどの様々な常用サービスを含む。
【００５１】
ｅＭＢＢおよびＵＲＬＬＣサポート能力を同時に有する１つのＵＥについて、ある応用シーンでは、ｅＭＢＢ上りデータおよびＵＲＬＬＣ上りデータ伝送が同じ時間にあり得る。 
例えば、図１及び図２に示すように、上りＵＲＬＬＣ伝送(チャネルＵと略す)と上りｅＭＢＢ伝送(チャネルeと略す)は時間的に重なっている。２つのチャネルが要求する送信電力をそれぞれＰ＿ＵおよびＰ＿ｅと表記する。Ｐ＿Ｕ＋Ｐ＿ｅ>Ｐ＿ｍａｘの場合は、電力制御が必要となる。
【００５２】
任意選択で、ＵＲＬＬＣサービス遅延/信頼性の要求がより良いので、電力割り当てはより高い優先度を有し、すなわち、通常は、ＵＲＬＬＣサービスに優先的に電力を割り当て、一方、ｅＭＭＢサービスは、その時点で、それが必要とする電力Ｐ＿ｅよりも小さい電力を割り当てられる。
【００５３】
ＵＲＬＬＣサービスは、その時間遅延要求が高いため、データ伝送から実際の送信までの間の間隔が短い。したがって、ＵＥがあるｅＭＢＢ送信を開始するとき、送信中にＵＲＬＬＣが並列送信のために存在するかどうかは決定されない。
【００５４】
同時発生時の電力配分問題を効果的に解決するために、２つの解決方法がある。
【００５５】
方法１.半静的上限割り当て：ネットワークは、ｅＭＢＢ及び/又はＵＲＬＬＣにシグナリングを介して電力上限を設定する。
【００５６】
方法２.同時発生時に、ある規則に従って、ＵＥはｅＭＢＢとＵＲＬＬＣとの間で相対的に動的に割り当てられる。
【００５７】
方法２では、１回のｅＭＢＢ伝送において、異なる部分の送信電力が異なる場合がある。図２に示すように、ｅＭＢＢによって要求される送信電力は、ＵＲＬＬＣとの同時送信がない場合(たとえば、時間帯ｔ２ )、ＵＥが送信のために使用することができるＰ＿ｅであり、同時発生(例えば、時間帯ｔ１ )の際、部分電力はＵＲＬＬＣ送信にスケジュールされ、ＵＥはｅＭＢＢを送信するために電力Ｐ_１のみを使用する(Ｐ＿1<Ｐ＿ｅ)。
【００５８】
この場合、ネットワーク側で電力の変化が分からないと、チャネル推定、データ復調( １６ ＱＡＭ、６４ ＱＡＭ、…)等の性能が著しく低下する可能性がある。
【００５９】
そこで、本願実施例では、この問題等を解決するために、次のような解決課題を提供する。
【００６０】
図３は、本発明の実施例による通信方法１００の概略的なフローチャートである。方法１００は、以下のコンテンツの少なくとも一部を含む。
【００６１】
１１０において、端末デバイスが第１の時間帯に行う第１のサービスの上り伝送の電力情報を確定し、ここで、当該端末デバイスが当該第１の時間帯に同時に当該第１のサービスと少なくとも１つの第２のサービスの上り伝送を行う。
【００６２】
任意選択で、当該第１のサービスの優先度が第２のサービスの優先度よりも高い。
【００６３】
任意選択で、当該第１のサービスがｅＭＢＢサービスであり、当該第２のサービスがＵＲＬＬＣサービスである。
【００６４】
第１のサービス及び第２のサービスは、他の２つの種類のサービス、又は２つの異なるサービスであってもよいことが理解されるべきである。
【００６５】
また、本願の実施例では、第１のサービス及び第２のサービスとして説明するが、同時に伝送されるサービスは２つだけではないことを理解されたい。例えば、第１のサービスは複数のサービスを含み得るか、または第２のサービスは複数のサービスを含み得るか、または他の第３のサービスが同時に存在し得る。
【００６６】
任意選択で、前記電力情報は、前記第１の時間帯に前記端末デバイスが前記第１のサービスの上り伝送に使用する実際電力が前記特定電力と同一であるか否か、及び/又は、前記第１の時間帯に前記端末デバイスが前記第１のサービスの上り伝送に使用する実際電力と前記特定電力との差分値情報を示す情報である。
【００６７】
具体的には、端末デバイスは、ｆ(Ｐ＿ｅ、Ｐ＿1)に関連する情報を、ＵＲＬＬＣの伝送において搬送することができ、ｆは、関数であり、その値は以下の可能な方法で取得する。
【００６８】
方式１：Ｐ＿ｅはＰ＿1と同一でもよく、異なっていてもよい。すなわちｅＭＢＢの今回の送信中に電力が変化したか否かを判定する。
【００６９】
この方式１では、ｅＭＢＢの今回の送信中に電力が変化したか否かを暗黙的に示すことができ、第２のサービスの伝送メッセージに該当フィールドがない場合、電力が変化していないことを示し、該当フィールドがある場合、電力が変化したことを示す。あるいは、第２のサービスの送信メッセージ内の対応する情報が電力が変化したか否かを示すように表示される。
【００７０】
方式２：ｆは、差分値Ｐ＿1−Ｐ＿ｅに関する関数であり、例えば、ｆは、Ｐ＿1−Ｐ＿ｅの量子化値、またはＰ＿1−Ｐ＿ｅの取り得る値の範囲に対応する識別子である。
【００７１】
１２０において、当該端末デバイスが当該第１の時間帯に当該第２のサービスの上り伝送を行う時に当該ネットワークデバイスに当該電力情報を送信する。
【００７２】
任意選択で、端末デバイスが当該ネットワークデバイスに送信した第１のメッセージに当該電力情報が含まれ、当該第１のメッセージには、さらに、当該第２のサービスのデータ又は他の情報が含まれる。
【００７３】
１３０において、ネットワークデバイスが、第１の時間帯に端末デバイスが行う第２のサービスの上り伝送において、当該端末デバイスにより送信された電力情報を受信し、当該電力情報は、当該端末デバイスが当該第１の時間帯に行う第１のサービスの上り伝送の電力情報である。
【００７４】
１４０において、当該電力情報に基づいて、当該ネットワークデバイスが当該第１のサービスを復調する。
【００７５】
任意選択で、本願の実施例において、端末デバイスは、チャネル推定を行い、第２のサービスの送信に用いられた実際電力を求め、第２のサービスの送信に用いられた実際電力と、端末デバイスが使用可能な最大送信電力とから、第１のサービスが実際に用いた送信電力を求めるようにしてもよい。
【００７６】
この方式では、端末デバイスは、第１のサービスが実際に利用している送信電力を直接ネットワークデバイスに通知することができる。
【００７７】
このとき、ネットワークデバイスは、第１の時間帯に受信した第１のサービスを、第１のサービスが実際に採用した送信電力に基づいて復調してもよい。
【００７８】
あるいは、第１のサービスが実際に使用した送信電力と特定電力との差分値をネットワークデバイスに通知する。
【００７９】
このとき、ネットワークデバイスは、特定電力で第２のサービスに対して計算された復調参照信号( Ｄｅｍｏｄｕｌａｔｉｏｎ Ｒｅｆｅｒｅｎｃｅ Ｓｉｇｎａｌ、ＤＭＲＳ )及び差分値を組み合わせて新しいＤＭＲＳを取得し、新しいＤＭＲＳを用いて第１の時間帯内に受信された第１のサービスを復調することができる。
【００８０】
具体的に、端末デバイスは、ＵＲＬＬＣの伝送時に、ｆ(Ｐ＿ｅ、Ｐ＿1)に関する情報を持ち、ｆは上記の方式２の値をとる関数であり、ネットワーク側で当該情報を検出してＰ＿ｅとＰ＿1の電力差を知ることができ、この情報を基に今回のｅＭＢＢ伝送を復調する。
【００８１】
あるいは、端末デバイスは、第１のサービスが実際に使用する送信電力と特定電力とが同じであるか否かを判断し、同じか異なるかの情報をネットワークデバイスに通知してもよい。
【００８２】
このとき、第１のサービスが実際に使用する送信電力が特定電力と同じであれば、ネットワークデバイスは、第２のサービスに対して特定電力で計算された復調参照信号ＤＭＲＳを用いて第１の時間帯内に受信された第１のサービスを復調することができる。
【００８３】
具体的に、端末デバイスは、ＵＲＬＬＣの伝送において、ｆ(Ｐ＿ｅ、Ｐ＿1)に関する情報を持ち、ｆは、上述した方式１、すなわち、Ｐ＿ｅとＰ＿1が同一の値をとる関数、または、異なる値をとる関数である。
【００８４】
例えば、差分値Ｐ＿ｅ−Ｐ＿1の範囲は、所定の集合の中に含まれる。ネットワーク側はＵＲＬＬＣ伝送を受信し、ｅＭＭＢの電力に変化がなければ、ネットワーク側は正常に復調し、ｅＭＭＢの電力に変化があれば、ネットワークは、差分値Ｐ＿ｅ−Ｐ＿1が規定セットのどれであるかを何らかの方法で判定し、判定結果に応じて今回のｅＭＢＢ伝送を復調する旨の指示を復調する。
【００８５】
第１のサービスに使用される送信電力が特定電力と異なる場合、ネットワークデバイスは、第２のサービスに対して特定電力で計算された復調参照信号ＤＭＲＳ、及び実際に用いられた送信電力と特定電力との差分値を利用して、新たなＤＭＲＳを得て、第１の時間帯内に受信された第１のサービスを復調することができる。
【００８６】
任意選択で、端末デバイスが第１の時間帯にネットワークデバイスに第２のサービスを送信する電力と、当該第１のサービスに対応する電力差分値集合とに基づいて、第１の時間帯内に行われる第１のサービスの上り伝送の電力情報を決定し、当該電力差分値集合は、前記端末デバイスが前記第１のサービスの上り伝送に用いる実際の電力と特定電力との間の選択可能な差分値を含む
具体的には、端末デバイスは、チャネル推定を行い、第２のサービスの送信に用いられた実際電力を求め、第２のサービスの伝送に用いられた実際電力と、端末デバイスが利用可能な最大送信電力と差分値集合の選択可能な差分値とから、第１のサービスが実際に用いた送信電力を求めることができる。
【００８７】
任意選択で、当該特定電力は、当該第１の時間帯の前で、且つ当該第１の時間帯に隣接する時間に当該第１のサービスの伝送を個別に行うために使用される電力である。例えば、図２に示すように、当該第１の時間はｔ１、特定電力はｔ２の時間帯で当該第１のサービス伝送に使用される電力であってもよい。
【００８８】
任意選択で、当該差分値集合は、当該端末デバイスに予め設定され、又は、当該ネットワークデバイスにより端末デバイスのために構成される。
【００８９】
任意選択で、当該差分値情報は、量子化値又は差分値が属する範囲の識別子を含む。
【００９０】
ある実現可能な方式において、当該差分値情報が量子化値を含み、当該電力情報に基づいて、当該ネットワークデバイスが当該第１のサービスを復調する。
【００９１】
具体的には、ネットワークデバイスは、第２のサービスに対して特定電力で計算された復調参照信号ＤＭＲＳと、当該差分値量子化値とを用いて新たなＤＭＲＳを取得し、第１の時間帯内に受信された第１のサービスを新たなＤＭＲＳで復調することができる。
【００９２】
一実施態様において、当該差分値情報は、差分値が属する範囲の識別子を含み、ネットワークデバイスは、当該範囲に含まれる差分値を用いて第１のサービスを復調する。
【００９３】
具体的には、当該差分値が属する範囲が複数の差分値を含む場合、ネットワークデバイスは、複数の差分値を用いて、第１の時間帯に受信された第１のサービスを順次復調し、第１のサービスを直接復調してもよい。
【００９４】
そして、本願の実施例では、端末デバイスが第１の時間帯に第１のサービスと少なくとも１つの第２のサービスの上り伝送を同時に行う場合に、第１の時間帯に行われる第１のサービスの伝送において、第１の時間帯に行われる第１のサービスの上り伝送の電力情報をネットワークデバイスに送信することにより、ネットワークデバイスは、第１のサービスと第２のサービスが同時に行われる場合に、第１のサービスの電力情報を正確に取得することができ、第１のサービスを正しく復調することができ、通信性能を向上させることができる。
【００９５】
図４は、本発明の実施例による、無線通信方法２００の概略的なフローチャートである。方法２００は、以下のコンテンツの少なくとも一部を含む。
【００９６】
２１０において、端末デバイスが、第１のサービスに対応する電力差分値集合、及び当該端末デバイスが第１の時間帯に行う第２のサービスの伝送に使用する電力に基づいて、第１のサービスの伝送に使用する電力を確定し、当該電力差分値集合は、当該端末デバイスが第１のサービスの上り伝送を行う時に使用する実際電力と特定電力との選択可能な差分値を含む。
【００９７】
任意選択で、当該第２のサービスの優先度が当該第１のサービスよりも高い。
【００９８】
任意選択で、当該第１のサービスが増強型モバイルブロードバンドｅＭＢＢサービスであり、当該第２のサービスが低遅延高信頼シーンＵＲＬＬＣサービスである。
【００９９】
具体的には、端末デバイスは、チャネル推定を行い、第２のサービスの伝送に用いられた実際電力を求め、第２のサービスの伝送に用いられた実際電力と、端末デバイスが利用可能な最大送信電力と差分値集合の選択可能な差分値とから、第１のサービスが実際に用いた送信電力を求めることができる。
【０１００】
２２０において、確定された当該電力に基づいて、当該端末デバイスが当該第１の時間帯に、第２のサービスの伝送を行う。
【０１０１】
２３０において、端末デバイスが第１の時間帯に同時にネットワークデバイスに第１のサービスと第２のサービスを伝送する場合、ネットワークデバイスが第１のサービスに対応する電力差分値集合を取得する。
【０１０２】
２４０において、ネットワークデバイスが当該電力差分値集合に基づいて、当該第１の時間帯内の第１のサービスを復調し、ここで、当該電力差分値集合は、当該端末デバイスが当該第１のサービスの上り伝送に使用する実際電力と当該特定電力との選択可能な差分値を含む。
【０１０３】
具体的には、端末デバイスがＵＲＬＬＣ伝送及びｅＭＭＢ同時伝送の場合、上記方法１００に記載の電力情報を搬送しなくてもよく、ネットワークデバイスは、受信した信号に基づいて差分値Ｐ＿ｅ−Ｐ＿1が所定の集合のいずれに属するかを判定し、判定結果に基づいて今回のｅＭＢＢ伝送を復調することができ、あるいは、ネットワーク側は、所定方法で所定の集合のｅｌｅｍｅｎｔを用いて、復調成功(あるいは部分復調成功)あるいは完了までにｅＭＢＢを復調試行する。
【０１０４】
具体的に、ネットワークデバイスは、差分値集合に含まれる選択可能な差分値を利用して、第１の時間帯に受信された第１のサービスを順次に復調し、第１のサービスを復調して取得する。
【０１０５】
任意選択で、当該差分値集合は、当該端末デバイスに予め設定され、又は当該ネットワークデバイスにより端末デバイスに構成される。
【０１０６】
任意選択で、当該特定電力は、当該第１の時間帯の前で、当該第１の時間帯に隣接する時間に当該第１のサービスを個別に伝送する時に使用する電力である。
【０１０７】
そして、本願の実施例では、端末デバイスが第１のサービスの上り伝送に使用する実際電力と特定電力との選択可能な差分値を含む、第１のサービスに対応する力差分値集合に基づいて、端末デバイスが第１のサービスの伝送に使用する電力を確定し、ネットワークデバイスが、電力差分値集合に基づいて、当該第１の時間帯内の第１のサービスを復調することによって、ネットワークデバイスが第１のサービスを正しく復調し、通信性能を向上させることができる。
【０１０８】
方法１００及び方法２００における実施例は、矛盾なく組み合わせて使用され得ることが理解される。
【０１０９】
図５は本願の実施例における端末デバイス３００のブロック図である。図５に示すように、当該端末デバイス３００は、処理ユニット３１０及び通信ユニット３２０を含む。
【０１１０】
任意選択で、前記処理ユニット３１０は、第１の時間帯に行う第１のサービスの上り伝送の電力情報を確定するように構成され、ここで、前記端末デバイスが前記第１の時間帯に同時に前記第１のサービスと少なくとも１つの第２のサービスの上り伝送を行う、前記通信ユニット３２０は、前記第１の時間帯に前記第２のサービスの上り伝送を行う時に、前記ネットワークデバイスに前記電力情報を送信するように構成される。
【０１１１】
なお、この端末デバイス３００は、上述した方法１００の端末デバイスに相当するものであり、方法１００の端末デバイスにおける各動作は、簡略化のため省略する。
【０１１２】
任意選択で、前記処理ユニット３１０は、第１のサービスに対応する電力差分値集合、及び前記端末デバイスが第１の時間帯に行う第２のサービスの伝送に使用する電力に基づいて、第１のサービスの伝送を行う時に使用する電力を確定するように構成され、前記電力差分値集合は、前記端末デバイスが第１のサービスの上り伝送を行う時に使用する実際電力と特定電力との選択可能な差分値を含む。前記通信ユニット３２０は、前記処理ユニット３１０により確定された前記電力に基づいて、前記第１の時間帯に第２のサービスの伝送を行うように構成される。
【０１１３】
なお、この端末デバイス３００は、上述した方法２００の端末デバイスに相当するものであり、方法２００の端末デバイスにおける各動作は、簡略化のため省略する。
【０１１４】
図６は本願の実施例におけるネットワークデバイス４００のブロックである。図６に示すように、当該ネットワークデバイス４００は、取得ユニット４１０及び復調ユニット４２０を含む。
【０１１５】
任意選択で、前記取得ユニット４１０は、第１の時間帯に端末デバイスが行う第２のサービスの上り伝送において、前記端末デバイスにより送信された電力情報を受信するように構成され、前記電力情報は、前記端末デバイスが前記第１の時間帯に行う第１のサービスの上り伝送の電力情報である。前記復調ユニット４２０は、前記電力情報に基づいて前記第１のサービスを復調するように構成される。
【０１１６】
任意選択で、図６に示すように、当該ネットワークデバイス４００は、さらに、方法１００の電力差分値集合を構成するための送信ユニット４３０含む。
【０１１７】
このネットワークデバイス４００は、上述の方法１００のネットワークデバイスに対応してもよく、方法１００のネットワークデバイスによって実行される対応する動作が実現されてもよいことが理解され、簡潔にするために、ここでは繰り返し述べない
任意選択で、前記取得ユニット４１０は、端末デバイスが第１の時間帯に同時にネットワークデバイスに第１のサービスと第２のサービスを伝送する場合、第１のサービスに対応する電力差分値集合を取得するように構成され、前記復調ユニット４２０は、前記電力差分値集合に基づいて、前記第１の時間帯の第１のサービスを復調するように構成され、ここで、前記電力差分値集合は、前記端末デバイスが前記第１のサービスの上り伝送を行う時に使用する実際電力と前記特定電力との選択可能な差分値を含む。
【０１１８】
任意選択で、図６に示すように、当該ネットワークデバイス４００は、方法２００の電力差分値集合を構成するための送信ユニット４３０を含む。
【０１１９】
このネットワークデバイス４００は、上述の方法２００におけるネットワークデバイスに対応してもよく、方法２００におけるネットワークデバイスにより実行される対応する動作が実施されてもよいことが理解されるべきであり、簡潔にするために、ここでは繰り返し説明しない。
【０１２０】
図７は、本発明の実施例のシステムチップ５００の概略構成図である。図７のシステムチップ５００は、入力インターフェース５０１、出力インターフェース５０２、内部通信接続線を介して接続された、プロセッサ５０３、及びプロセッサ５０３内のコードを実行するためのメモリ５０４を含む。
【０１２１】
任意選択で、コードが実行されると、プロセッサ５０３は、方法の実施例においてネットワークデバイス又は端末デバイスによって実行される方法を実施する。簡潔にするために、ここでは繰り返し説明しない。
【０１２２】
図８は、本発明の実施例による通信デバイス６００の概略ブロック図である。図８に示すように、通信デバイス６００は、プロセッサ６１０と、メモリ６２０とを有する。そのうち、該メモリ６２０はプログラムコードを記憶してもよく、該プロセッサ６１０は、該メモリ６２０に記憶されたプログラムコードを実行してもよい。
【０１２３】
任意選択で、図８に示すように、通信デバイス６００は、プロセッサ６１０が外部と通信するように制御することができる送受信機６３０を含んでもよい。
【０１２４】
任意選択で、プロセッサ６１０は、メモリ６２０に記憶されたプログラムコードを呼び出して、方法の実施例におけるネットワークデバイス又は端末デバイスの対応する動作を実行してもよく、簡潔にするために、ここでは詳しい説明を省略する。
【０１２５】
本発明の実施例における方法の実施例は、プロセッサに適用されてもよく、又はプロセッサによって実装されてもよい。プロセッサは、信号の処理能力を有する集積回路チップであり得る。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )、又は他のプログラマブル論理デバイス、トランジスタロジックデバイス、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接具現化されてもよく、または、デコーディングプロセッサ内のハードウェアおよびソフトウェアモジュールの組み合わせで実行されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０１２６】
本発明の実施例において、メモリは、揮発性メモリまたは不揮発性メモリであってもよく、または揮発性メモリと不揮発性メモリの両方を含んでもよいことが理解される。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。限定ではなく例として、ＲＡＭは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、ダブルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１２７】
最後に、本出願の実施例及び添付の特許請求の範囲で使用される用語は、特定の実施例を説明する目的のためのみであり、本出願の実施例を限定することを意図していないことに留意されたい。
【０１２８】
例えば、本出願の実施例および添付の特許請求の範囲で使用される単数形「一種類」、「前記」、および「該当」は、文脈が他の意味を明確に示さない限り、複数形も含むことを意図している。
【０１２９】
また、例えば、第１のタイプのセルグループおよび第２のタイプのセルグループという用語は、本願の実施例において使用され得るが、これらのタイプのセルグループは、これらの用語に限定されるべきではない。これらの用語は、セルグループのタイプを互いに区別するためにのみ使用される。
【０１３０】
また、例えば、文脈に応じて、本明細書で使用される「……時に」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０１３１】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本願の実施例の範囲から逸脱するものと考えられるべきではない。
【０１３２】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１３３】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１３４】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本願の各実施例における各手段の一部又は全部を、実際の要求に応じて選択して実施してもよい。
【０１３５】
また、本願の実施例における各機能部は、１つの処理部に集積されてもよいし、各部は物理的に別個に存在してもよいし、２つ以上の部が１つの部に集積されてもよい。
【０１３６】
ソフトウェア機能単位で実現され、独立した製品として販売又は使用される場合、コンピュータ読み取り可能な記録媒体に格納されてもよい。このような理解に基づいて、本願の実施例の技術的解決策の本質または従来技術に寄与する部分、または技術的解決策の部分は、１つのコンピュータデバイス(パーソナルコンピュータ、サーバ、またはネットワークデバイスなどであり得る)に本願の実施例の方法のステップの全てまたは一部を実行させるための複数の命令を含む１つの記憶媒体に記憶されたソフトウェア製品の形態で具現化され得る。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【０１３７】
以上、本発明の実施例の具体的な実施例について説明したが、本発明の実施例の保護範囲はこれに限定されるものではなく、本発明の実施例で開示した技術的範囲内で当業者であれば容易に想到することができる変更または置換を本発明の実施例の保護範囲内に含むものとする。したがって、本願の実施例の保護範囲は、特許請求の範囲の保護範囲を基準とするべきである。
【図１】
2020533817.tif 000003
【図２】
2020533817.tif 000004
【図３】
2020533817.tif 000005
【図４】
2020533817.tif 000006
【図５】
2020533817.tif 000007
【図６】
2020533817.tif 000008
【図７】
2020533817.tif 000009
【図８】
2020533817.tif 000010
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
端末デバイスが第１の時間帯に行う第１のサービスの上り伝送の電力情報を確定することと、
前記端末デバイスが前記第１の時間帯に第２のサービスの上り伝送を行う時に、前記ネットワークデバイスに前記電力情報を送信することとを含み、
前記端末デバイスが前記第１の時間帯に同時に前記第１のサービスと少なくとも１つの第２のサービスの上り伝送を行う
ことを特徴とする無線通信方法。
【請求項２】
前記第２のサービスの優先度が前記第１のサービスよりも高い
ことを特徴とする請求項１に記載の無線通信方法。
【請求項３】
前記第１のサービスが増強型モバイルブロードバンドｅＭＢＢサービスであり、前記第２のサービスが低遅延高信頼シーンＵＲＬＬＣサービスである
ことを特徴とする請求項１又は２に記載の無線通信方法。
【請求項４】
前記端末デバイスが前記第１の時間帯に第２のサービスの上り伝送を行う時に、前記ネットワークデバイスに前記電力情報を送信することは、
前記ネットワークデバイスに送信する第１のメッセージには前記電力情報が含まれ、前記第１のメッセージには、さらに、前記第２のサービスのデータ又は他の情報が含まれることを含む
ことを特徴とする請求項１〜３のいずれか１項に記載の無線通信方法。
【請求項５】
前記端末デバイスが第１の時間帯に行う第１のサービスの上り伝送の電力情報を確定することは、
前記端末デバイスが前記第１の時間帯に前記ネットワークデバイスに第２のサービスを伝送する電力、及び／又は前記第１のサービスに対応する電力差分値集合に基づいて、第１の時間帯に行う第１のサービスの上り伝送の電力情報を確定することを含み、
前記電力差分値集合は、前記端末デバイスが第１のサービスの上り伝送を行う時に使用する実際電力と特定電力との選択可能な差分値を含む
ことを特徴とする請求項１〜４のいずれか１項に記載の無線通信方法。
【請求項６】
前記差分値集合は、前記端末デバイスに予め設定され、又は前記ネットワークデバイスにより端末デバイスに構成される
ことを特徴とする請求項５に記載の無線通信方法。
【請求項７】
前記電力情報は、
前記端末デバイスが前記第１の時間帯に第１のサービスの上り伝送を行う時に使用する実際電力と特定電力とが同じであるかどうかを示し、及び／又は、
前記端末デバイスが前記第１の時間帯に第１のサービスの上り伝送を行う時に使用する実際電力と特定電力との差分値情報を示す
ことを特徴とする請求項１〜６のいずれか１項に記載の無線通信方法。
【請求項８】
前記差分値情報は、量子化値又は差分値が属する範囲の識別子を含む
ことを特徴とする請求項７に記載の無線通信方法。
【請求項９】
前記特定電力は、前記第１の時間帯の前で、且つ前記第１の時間帯に隣接する時間で前記第１のサービスの伝送を個別に行う時に使用される電力である
ことを特徴とする請求項５、７又は８に記載の無線通信方法。
【請求項１０】
端末デバイスが、第１のサービスに対応する電力差分値集合及び第１の時間帯に行う第２のサービスの伝送に使用する電力に基づいて、第１のサービスの伝送を行う時に使用する電力を確定することと、
確定された前記電力に基づいて、前記端末デバイスが前記第１の時間帯に第２のサービスの伝送を行うこととを含み、
前記電力差分値集合は、前記端末デバイスが第１のサービスの上り伝送を行う時に使用する実際電力と特定電力との選択可能な差分値を含む
ことを特徴とする無線通信方法。
【請求項１１】
前記特定電力は、前記第１の時間帯の前で、且つ前記第１の時間帯に隣接する時間で前記第１のサービスの伝送を個別に行う時に使用される電力である
ことを特徴とする請求項１０に記載の無線通信方法。
【請求項１２】
前記第２のサービスの優先度が前記第１のサービスよりも高い
ことを特徴とする請求項１０又は１１に記載の無線通信方法。
【請求項１３】
前記第１のサービスが増強型モバイルブロードバンドｅＭＢＢサービスであり、前記第２のサービスが低遅延高信頼シーンＵＲＬＬＣサービスである
ことを特徴とする請求項１０〜１２のいずれか１項に記載の無線通信方法。
【請求項１４】
前記差分値集合は、前記端末デバイスに予め設定され、又は前記ネットワークデバイスにより端末デバイスに構成される
ことを特徴とする請求項１０〜１３のいずれか１項に記載の無線通信方法。
【請求項１５】
処理ユニットと通信ユニットを含む端末デバイスであって、
前記処理ユニットと前記通信ユニットは、請求項１〜１４に記載の無線通信方法を実行するように構成される
ことを特徴とする端末デバイス。
【国際調査報告】
2020533817.tif 000011
2020533817.tif 000012
2020533817.tif 000013
2020533817.tif 000014